(57)【要約】【課題】ユーザの都合に合わせて、操作を行う操作部を使い分けることが可能な画像形成装置を提供する。【解決手段】用紙に画像を形成する画像形成部と、画像形成部による画像形成のための操作画面を表示する表示部と、表示部が表示する操作画面内においてユーザの操作を受け付ける画面内操作部と、表示部が表示する操作画面外においてユーザの操作を受け付ける画面外操作部と、制御部と、を備え、制御部は、ユーザの指示に基づいて、ユーザの操作を受け付ける操作部を決定する。【選択図】        図２
2013240983.tif 000002
【特許請求の範囲】
【請求項１】
用紙に画像を形成する画像形成部と、
前記画像形成部による画像形成のための操作画面を表示する表示部と、
前記表示部が表示する操作画面内においてユーザの操作を受け付ける画面内操作部と、
前記表示部が表示する操作画面外においてユーザの操作を受け付ける画面外操作部と、
制御部と、
を備え、
前記制御部は、ユーザの指示に基づいて、ユーザの操作を受け付ける操作部を決定する、画像形成装置。
【請求項２】
請求項１に記載の画像形成装置において、
前記制御部は、操作を受け付ける操作部に応じて、前記表示部での表示形態として、表示するアイコンを変更する、ことを特徴とする画像形成装置。
【請求項３】
請求項２に記載の画像形成装置において、
前記制御部は、表示形態として、表示するアイコンのサイズを変更する、ことを特徴とする画像形成装置。
【請求項４】
請求項１から請求項３のいずれかに記載の画像形成装置において、
前記制御部は、前記画面内操作部で操作を受け付けているときは、前記画面外操作部で操作を受け付けつけているときに前記表示部で表示しているアイコンの一部を非表示とし、非表示としたアイコンを、前記画面内操作部で受け付けた操作に基づいて別の操作画面に表示する、ことを特徴とする画像形成装置。
【請求項５】
請求項１から請求項４のいずれかに記載の画像形成装置において、
前記制御部は、前記画面外操作部で操作を受け付けているときは、前記画面外操作部で受け付けた操作の履歴を前記表示部に表示する、ことを特徴とする画像形成装置。
【請求項６】
請求項１から請求項５のいずれかに記載の画像形成装置において、
前記制御部は、前記画面外操作部で操作を受け付けているときは、操作画面と前記画面外操作部との対応関係を前記表示部に表示する、ことを特徴とする画像形成装置。
【請求項７】
請求項１から請求項６のいずれかに記載の画像形成装置において、
前記制御部は、操作を受け付けていない操作部に対する電力の供給を遮断する、ことを特徴とする画像形成装置。
【請求項８】
請求項１または請求項７に記載の画像形成装置において、
前記制御部は、操作部の使用履歴が規定の条件を満たすか否か判断し、当該判断結果に基づいて、操作を受け付ける操作部を決定する、ことを特徴とする画像形成装置。
【請求項９】
請求項１から請求項８に記載の画像形成装置において、
前記制御部は、省電力モードを実行するか否か判断し、当該判断結果に基づいて、操作を受け付ける操作部を決定する、ことを特徴とする画像形成装置。
【請求項１０】
用紙に画像を形成する画像形成部と、
前記画像形成部による画像形成のための操作画面を表示する表示部と、
前記表示部が表示する操作画面内においてユーザの操作を受け付ける画面内操作部と、
前記表示部が表示する操作画面外においてユーザの操作を受け付ける画面外操作部と、
制御部と、
を備え、
前記制御部は、操作部の使用履歴が規定の条件を満たすか否か判断し、当該判断結果に基づいて、ユーザの操作を受け付ける操作部を決定する、画像形成装置。
【請求項１１】
用紙に画像を形成する画像形成部と、
前記画像形成部による画像形成のための操作画面を表示する表示部と、
前記表示部が表示する操作画面内においてユーザの操作を受け付ける画面内操作部と、
前記表示部が表示する操作画面外においてユーザの操作を受け付ける画面外操作部と、
制御部と、
を備え、
前記制御部は、省電力モードを実行するか否か判断し、当該判断結果に基づいて、ユーザの操作を受け付ける操作部を決定する、画像形成装置。
【発明の詳細な説明】
【技術分野】
【０００１】
本発明は、画像形成装置に関する。さらに詳細には、複数の操作部において操作を受け付けることが可能な画像形成装置に関するものである。
【背景技術】
【０００２】
従来、複数の操作部によって操作を受け付けることが広く行われている。複数の操作部とは、例えばタッチパネルと数字の入力ボタンなどが挙げられる。
【先行技術文献】
【特許文献】
【０００３】
【特許文献１】特開平８−１６２９６
【発明の概要】
【発明が解決しようとする課題】
【０００４】
しかしながら、従来は操作部によって可能な操作が限られていた。例えば、タッチパネルで機能の選択のみが可能であり、数字の入力ボタンでは数字の入力のみが可能である、などといった場合である。一方、タッチパネルが故障した際のみ、ハードキーで全ての操作を可能とすることも行われている（例えば、特許文献１）。しかし、従来技術では、ユーザの都合に合わせて操作部を使い分けることができず、不便であった。
【０００５】
本発明は、上述した問題点を解決するためになされたものであり、操作を行う操作部をユーザの都合に合わせて使い分けることが可能な画像形成装置を提供することを目的とする。
【課題を解決するための手段】
【０００６】
この課題の解決を目的としてなされた第１の画像形成装置は、用紙に画像を形成する画像形成部と、前記画像形成部による画像形成のための操作画面を表示する表示部と、前記表示部が表示する操作画面内においてユーザの操作を受け付ける画面内操作部と、前記表示部が表示する操作画面外においてユーザの操作を受け付ける画面外操作部と、制御部と、を備え、前記制御部は、ユーザの指示に基づいて、ユーザの操作を受け付ける操作部を決定する。
【０００７】
このような構成によれば、画面内操作部と画面外操作部のいずれでもユーザの操作を受け付けることができ、また、ユーザの用途に合わせて操作を受け付ける操作部を切り換えることができると期待される。
【０００８】
また、前記制御部が、操作を受け付ける操作部に応じて、前記表示部での表示形態として、表示するアイコンを変更するようにしてもよい。
【０００９】
このようにすれば、操作を受け付ける操作部に応じて、表示形態の変更として、表示するアイコンを変更することにより、用いる操作部に応じた表示が行われ、ユーザが操作を行いやすくなると期待できる。
【００１０】
また、前記制御部が、表示形態として、表示するアイコンのサイズを変更するようにしてもよい。
【００１１】
このようにすれば、操作を受け付ける操作部に応じて、表示形態の変更として、表示部で表示するアイコンのサイズを変更することにより、アイコンを大きくすることもできるため、ユーザが表示を見やすくなって操作性が向上する。
【００１２】
また、前記制御部が、前記画面内操作部で操作を受け付けているときは、前記画面外操作部で操作を受け付けつけているときに前記表示部で表示しているアイコンの一部を非表示とし、非表示としたアイコンを、前記画面内操作部で受け付けた操作に基づいて別の操作画面に表示するようにしてもよい。
【００１３】
このようにすれば、アイコンを一度に全て表示せず、操作に基づいて別の操作画面に表示できるようになるため、ユーザが表示されるアイコンを見やすくなり、操作性が向上する。
【００１４】
また、前記制御部は、前記画面外操作部で操作を受け付けているときは、前記画面外操作部で受け付けた操作の履歴を前記表示部に表示するようにしてもよい。
【００１５】
このようにすれば、画面外操作部でどのような操作を行っているのかが、表示部に表示されるため、ユーザは画面外操作部により自身が行っている操作を確認することができる。
【００１６】
また、前記制御部が、前記画面外操作部で操作を受け付けているときは、操作画面と前記画面外操作部との対応関係を前記表示部に表示するようにしてもよい。
【００１７】
このようにすれば、画面外操作部と操作画面との対応関係が表示されるため、画面外操作部での操作をユーザが行いやすくなる。
【００１８】
また、前記制御部が、操作を受け付けていない操作部に対する電力の供給を遮断するようにしてもよい。
【００１９】
このようにすれば、省電力を実現できる。
【００２０】
また、前記制御部が、操作部の使用履歴が規定の条件を満たすか否か判断し、当該判断結果に基づいて、操作を受け付ける操作部を決定するようにしてもよい。
【００２１】
このようにすれば、操作部の使用履歴が規定の条件に応じて、操作を受け付ける操作部を決定するため、ユーザの過去の操作部の使用状況に合わせて操作を受け付ける操作部を決定することができ、利便性が向上する。
【００２２】
また、前記制御部が、省電力モードを実行するか否か判断し、当該判断結果に基づいて、操作を受け付ける操作部を決定するようにしてもよい。
【００２３】
このようにすれば、省電力モードが実行されているときに、省電力を実現できるように、操作部を決定することができる。
【００２４】
また、第２の画像形成装置は、用紙に画像を形成する画像形成部と、前記画像形成部による画像形成のための操作画面を表示する表示部と、前記表示部が表示する操作画面内においてユーザの操作を受け付ける画面内操作部と、前記表示部が表示する操作画面外においてユーザの操作を受け付ける画面外操作部と、制御部と、を備え、前記制御部は、操作部の使用履歴が規定の条件を満たすか否か判断し、当該判断結果に基づいて、ユーザの操作を受け付ける操作部を決定する。
【００２５】
このような構成によれば、画面内操作部と画面外操作部のいずれでもユーザの操作を受け付けることができ、また、ユーザの操作部の使用履歴に合わせて操作を受け付ける操作部を切り換えることができるようになり、操作性が向上すると期待される。
【００２６】
また、第３の画像形成装置は、用紙に画像を形成する画像形成部と、前記画像形成部による画像形成のための操作画面を表示する表示部と、前記表示部が表示する操作画面内においてユーザの操作を受け付ける画面内操作部と、前記表示部が表示する操作画面外においてユーザの操作を受け付ける画面外操作部と、制御部と、を備え、前記制御部は、省電力モードを実行するか否か判断し、当該判断結果に基づいて、ユーザの操作を受け付ける操作部を決定する。
【００２７】
このような構成によれば、画面内操作部と画面外操作部のいずれでもユーザの操作を受け付けることができ、また、省電力モードを実行するか否かで操作を受け付ける操作部を切り換えることができると期待され、利便性の向上と省電力の実現の両立を図ることができる。
【発明の効果】
【００２８】
本発明によれば、ユーザの都合に合わせて操作を行う操作部を使い分けることが可能な画像形成装置が実現される。
【図面の簡単な説明】
【００２９】
【図１】実施の形態にかかるＭＦＰの外観を示す図である。
【図２】実施の形態にかかるユーザインターフェース部の一例を示す図である。
【図３】実施の形態にかかるＭＦＰの電気的構成を示すブロック図である。
【図４】実施の形態にかかる操作受付処理の手順を示すフローチャートである。
【図５】実施の形態にかかる表示部の一例を示す図である。
【図６】実施の形態にかかる表示部の一例を示す図である。
【図７】実施の形態にかかる表示部の一例を示す図である。
【図８】実施の形態にかかるユーザインターフェース部の一例を部分的に示す図である。
【図９】実施の形態にかかるユーザインターフェース部の一例を部分的に示す図である。
【図１０】実施の形態にかかる操作受付処理の手順を示すフローチャートである。
【図１１】実施の形態にかかるユーザインターフェース部の一例を部分的に示す図である。
【図１２】実施の形態にかかるユーザインターフェース部の一例(機能選択画面)を部分的に示す図である。
【図１３】実施の形態にかかるユーザインターフェース部の一例(コピー操作画面)を部分的に示す図である。
【図１４】実施の形態にかかる“ＯＮ”モード処理の手順を示すフローチャートである。
【図１５】実施の形態にかかる“ＯＦＦ”モード処理の手順を示すフローチャートである。
【発明を実施するための形態】
【００３０】
以下、本発明にかかる画像形成装置を具体化した実施の形態について、添付図面を参照しつつ詳細に説明する。本実施形態は、ファックス送受信機能，スキャン機能，及びコピー機能を備えた複合機（ＭＦＰ：Ｍｕｌｔｉ  Ｆｕｎｃｔｉｏｎ  Ｐｅｒｉｐｈｅｒａｌ）に本発明を適用したものである。
【００３１】
［ＭＦＰの構成］
本実施形態のＭＦＰ１００は、図１に示すように、用紙に画像を印刷する画像形成部１０（画像形成部の一例）と、原稿の画像を読み取る画像読取部２０とを備えている。なお、画像形成部１０の画像形成方式は、電子写真方式であっても、インクジェット方式であってもよい。また、画像形成部１０は、カラー画像及びモノクロ画像の形成が可能であってもよいし、モノクロ画像のみの形成が可能であってもよい。さらに、画像読取部２０は、カラー画像及びモノクロ画像の読み取りが可能であってもよいし、モノクロ画像のみの読み取りが可能であってもよい。
【００３２】
ＭＦＰ１００は、前面側にユーザインターフェース部４０を備えている。図２は、図１におけるユーザインターフェース部４０の特徴部分を模式的に表した図である。ユーザインターフェース部４０には、図２に示すように、タッチパネル４３、各種のボタン（例えば、上下左右キー，キャンセルキー，テンキー，切換キー４６等の各ボタン）によって構成されるボタン群４２（画面外操作部の一例）等が設けられている。
【００３３】
また、タッチパネル４３は、図３にも示したように、表示部４１（表示部の一例）、入力部４４（画面内操作部の一例）が備えられている。入力部４４は、例えば静電容量方式のタッチセンサから構成されており、タッチされた位置や座標を検出する。ＣＰＵ３１は、入力部４４が検出した位置や座標に基づいて、表示部４１に表示された対応する項目が選択されたと判断する。こうしてタッチパネル４３はユーザの操作の入力を受け付けられるようになっている。
【００３４】
このように、ＭＦＰ１００では、表示部４１により操作画面の表示を行うことができ、操作部であるボタン群４２とタッチパネル４３の入力部４４により、ユーザによる操作の入力が可能になっている。これらユーザインターフェース部４０の詳細については、後に詳細に説明する。
【００３５】
［ＭＦＰの電気的構成］
続いて、ＭＦＰ１００の電気的構成について説明する。ＭＦＰ１００は、図３に示すように、ＣＰＵ３１（制御部の一例）と、ＲＯＭ３２と、ＲＡＭ３３と、ＮＶＲＡＭ（Ｎｏｎ  Ｖｏｌａｔｉｌｅ  ＲＡＭ）３４とを備えた制御ユニット３０を備えている。また、制御ユニット３０は、画像形成部１０と、画像読取部２０と、ユーザインターフェース部４０と、電力供給ユニット５０と、ネットワークインターフェース３７とに、電気的に接続されている。
【００３６】
ＲＯＭ３２には、ＭＦＰ１００を制御するための制御プログラムであるファームウェアや各種設定、初期値等が記憶されている。ＲＡＭ３３及びＮＶＲＡＭ３４は、各種制御プログラムが読み出される作業領域として、あるいは読み取った画像データを一時的に記憶する記憶領域として利用される。
【００３７】
ＣＰＵ３１は、ＲＯＭ３２から読み出した制御プログラムや各種センサから送られる信号に従って、その処理結果をＲＡＭ３３またはＮＶＲＡＭ３４に記憶させながら、ＭＦＰ１００の各構成要素を制御する。
【００３８】
電力供給ユニット５０は、制御ユニット３０だけでなくユーザインターフェース部４０にも電気的に接続されており、制御ユニット３０やユーザインターフェース部４０に対して、電力を供給または遮断する。また、スイッチである第１スイッチ１や第２スイッチ２によって、ユーザインターフェース部４０にあるボタン群４２と、タッチパネル４３の入力部４４とに対して、それぞれ電力の供給または遮断を切り換えることが可能になっている。
【００３９】
ネットワークインターフェース３７は、他の装置との通信を可能にするインターフェースである。ＭＦＰ１００は、ネットワークインターフェース３７を介して他の装置から送信される印刷データを受信したり、他の装置へ読み取った画像データを送信したりする。
【００４０】
［ＭＦＰの制御］
続いて、ＭＦＰ１００の制御について説明する。以下の実施形態では、ＭＦＰ１００のファックス機能，スキャン機能，コピー機能を例に挙げて説明する。
【００４１】
ファックス機能は、画像読取部２０によって読み取った原稿の画像データや、他のファックス装置からの画像データを、電話回線（不図示）を介して送受信する機能である。
【００４２】
スキャン機能は、画像読取部２０によって読み取った原稿の画像データを、ネットワークインターフェース３７を介して、ＰＣなどの他の装置に送信する機能である。
【００４３】
コピー機能は、画像読取部２０によって読み取った原稿の画像データを、画像形成部１０によって用紙に印刷する機能である。
【００４４】
なお、上述した機能はＭＦＰ１００の機能の一例であり、これに限らない。
【００４５】
まず、ユーザインターフェース部４０について説明する。図２は、ユーザインターフェース部４０の特徴部分を模式的に示した図である。ユーザインターフェース部４０の表示部４１では、図２に示したように、待機画面では、例えばＭＦＰ１００の機能がアイコンとして表示されている。ユーザが、例えば「Ｃｏｐｙ」のアイコンをタッチすると、入力部４４がその位置や座標を検出することにより、ＣＰＵ３１が、「Ｃｏｐｙ」のアイコンが押されたと判断し、表示部４１によって、コピー機能実行のための設定を行う操作画面の表示を開始する。
【００４６】
また、例えばボタン群４２の操作によって、表示部４１に表示された「Ｃｏｐｙ」のアイコンが選択された場合も、ＣＰＵ３１が表示部４１によって、コピー機能実行のための操作画面の表示を開始する。
【００４７】
ここでいう、ボタン群４２によってアイコンが選択される際には、例えば、ユーザによってボタン群４２の上下左右キーが押下されるたびに、ＣＰＵ３１が表示部４１に表示されているアイコンの点滅または色の反転などを行う。それを見て、ユーザはどのアイコンが現在選択されているかを確認することができる。そして、ユーザによりＯＫキーが押下されることで、ＣＰＵ３１はアイコンの選択が決定されたと判断する。
【００４８】
ユーザは、タッチパネル４３の入力部４４でもボタン群４２でも、同じ操作を行うことが可能である。また、表示部４１はタッチパネル４３またはボタン群４２によって行われた操作に応じて、適宜表示内容などを変更しながら操作画面を表示する。例えば、待機画面で「Ｃｏｐｙ」の機能が選択されると、次の操作画面に遷移し、図５に一例として示したような、部数や画質などのコピーの詳細設定のための操作画面を表示する。
【００４９】
［第１の実施形態］
以下、第１の実施形態に関する操作受付処理について、図２，図４〜９を参照しつつ説明する。
【００５０】
本実施形態の操作受付処理は、電力供給ユニット５０によって制御ユニット３０への電力の供給が行われると、ＣＰＵ３１によって実行が開始され、定期的に実行される。処理の流れについては、図４のフローチャートを参照しつつ説明する。
【００５１】
なお、ここでは、最初に制御ユニット３０への電力供給が行われた際には、操作を受け付けられる操作部は、タッチパネル４３の入力部４４とボタン群４２の両方であるとして説明する。
【００５２】
Ｓ１００では、上述したように、表示部４１が、待機画面でＭＦＰ１００の機能の表示を行う。なお、Ｓ１００における表示とは、待機画面に限らず、既述したように、ユーザの操作に応じて操作画面を遷移させたり、表示内容を変更させたりした操作画面の表示も含む。
【００５３】
Ｓ１０１では、ユーザに操作を受け付ける操作部を指示されたか否かを、ＣＰＵ３１が判断する。
【００５４】
例えば、図２に例で示したように、表示部４１上の「切換」アイコン４５や、ボタン群４２の「切換」キー４６が押下された場合に、操作を受け付ける操作部が指示されたと判断する。
【００５５】
ユーザに操作を受け付ける操作部が指示されていない場合は（Ｓ１０１：Ｎｏ）、Ｓ１０２に移行する。Ｓ１０２では、操作部の使用履歴が規定の条件を満たすか否かを、ＣＰＵ３１が判断する。
【００５６】
ここで、操作部の使用履歴とは、過去にタッチパネル４３の入力部４４とボタン群４２のいずれを操作部として用いていたかの履歴であり、ＮＶＲＡＭ３４などの記憶領域に記憶されている。過去に、操作部を使用した回数のうち、入力部４４またはボタン群４２において、それぞれの操作部が使用された回数が、一定割合以上であった場合に規定の条件を満たすと判断する。
【００５７】
例えば、一定の割合が予め８割と定められている場合に、過去の使用履歴より、操作部を使用したうち、タッチパネル４３の入力部４４を使用していた割合が８割以上であれば、規定の条件を満たすと判断し、８割未満であれば規定の条件を満たさないと判断する。これは、ボタン群４２の使用割合に対して判断してもよい。
【００５８】
こうしてＳ１０２で規定の条件を満たすと判断されなかった場合は（Ｓ１０２：Ｎｏ）、操作受付処理を終了する。規定の条件を満たすと判断された場合は（Ｓ１０２：Ｙｅｓ）、Ｓ１０３に移行する。
【００５９】
Ｓ１０３では、省電力モードを実行するか否かをＣＰＵ３１が判断する。省電力モードを実行する場合とは、例えば、ユーザインターフェース部４０の操作を介して、ユーザから省電力モードに移行することを指示された場合や、ユーザインターフェース部の操作，ファックス受信などの他の装置からの指示、などが一定時間以上行われなかった場合などである。
【００６０】
省電力モードを実行しない場合は（Ｓ１０３：Ｎｏ）、操作受付処理を終了する。省電力モードを実行する場合（Ｓ１０３：Ｙｅｓ）と、Ｓ１０１にて操作を受け付ける操作部をユーザから指示された場合（Ｓ１０１：Ｙｅｓ）は、Ｓ１０４に移行する。
【００６１】
Ｓ１０４では、Ｓ１０１〜Ｓ１０３の判断結果に基づき、操作を受け付ける操作部をＣＰＵ３１が決定する。操作を受け付ける操作部を決定するとは、操作を受け付ける操作部を決定し、操作を受け付けないと決定された操作部においては、操作を受け付けないようにすることである。まず、操作を受け付ける操作部を決定する方法について説明する。
【００６２】
Ｓ１０１でユーザに指示された場合は、その指示に従う。例えば、表示部４１に表示された「切換」アイコン４５がタッチされた場合は、ボタン群４２で操作を受け付けるとＣＰＵ３１が決定する。ボタン群４２の「切換」キー４６が押下された場合は、タッチパネル４３の入力部４４で操作を受け付けるとＣＰＵ３１が決定する。
【００６３】
Ｓ１０２で規定の条件を満たすと判断され（Ｓ１０２：Ｙｅｓ）、さらにＳ１０３で省電力モードを実行すると判断された場合は（Ｓ１０３：Ｙｅｓ）、Ｓ１０２の判断結果に応じて決定する。つまり、過去の使用履歴から使用割合が規定の条件を満たすと判断された操作部で、操作を受け付けると決定する。例えば、過去の使用履歴から操作部を使用したうち、入力部４４で操作を受け付けた割合が８割以上であった場合は、入力部４４で操作を受け付けると決定する。
【００６４】
省電力モードを実行する場合は、両方の操作部において操作を受け付けられるようにしていると、省電力の観点から望ましくない。そのため、使用割合の高い操作部において操作を受け付けると決定することができ、省電力を実現しつつ、かつユーザの使用状況に即した操作部で操作を受け付けられるようになるため、利便性が向上する。
【００６５】
なお、ここではＳ１０２でそれぞれの操作部の使用割合が規定の条件を満たすか否かを判断し、Ｓ１０３で省電力モードの実行を行うか否かを判断している。しかし、Ｓ１０２とＳ１０３を両方行うことは必須ではなく、いずれか一方のみ行ってもよい。
【００６６】
Ｓ１０２のみ実行するときは、Ｓ１０２で操作部の使用履歴が規定の条件を満たすと判断された場合は（Ｓ１０２：Ｙｅｓ）、Ｓ１０４に移行する。
【００６７】
Ｓ１０３のみ実行するときは、Ｓ１０１で操作を受け付ける操作部をユーザに指示されなかった場合は（Ｓ１０１：Ｎｏ）、Ｓ１０３に移行する。このとき、Ｓ１０４で操作を受け付ける操作部を決定する際には、タッチパネル４３の入力部４４で操作を受け付けると決定する。なお、これはボタン群４２で操作を受け付けてもよく、予めどちらにするか設定されているものとする。
【００６８】
続いて、操作を受け付けないと決定された操作部において、操作を受け付けないようにする方法について説明する。
【００６９】
ＣＰＵ３１が電力供給ユニット５０に指示を出すことにより、操作を受け付けないと決定された操作部、つまりタッチパネル４３の入力部４４またはボタン群４２に対する電力供給を遮断して、操作を受け付けないようにする。これにより、省電力が実現される。
【００７０】
なお、入力部４４またはボタン群４２に対する電力供給は遮断しなくてもよい。この場合は、操作を受け付けないと決定された操作部を介して操作が行われても、ＣＰＵ３１は操作に応じた処理を実行せず、また表示部４１の表示も、操作に応じて操作画面を遷移させたり表示内容を変更させたりした操作画面を表示しないようにする。
【００７１】
これにより、タッチパネル４３の入力部４４またはボタン群４２に対する電力供給を遮断しない場合であっても、操作を受け付けないと決定された操作部において受け付けた操作に応じた処理を実行しないことや、操作画面の表示内容の変更をしないことにより、省電力状態を実現することができる。
【００７２】
なお、操作を受け付けると決定された操作部に対する電力供給が遮断されていた場合は、Ｓ１０４にてＣＰＵ３１が電力供給ユニット５０に指示を出すことにより、操作を受け付ける操作部に対して電力を供給する。
【００７３】
続くＳ１０５では、ＣＰＵ３１が表示部４１での表示形態を変更する。表示形態の変更は、Ｓ１０４で決定した、操作を受け付ける操作部に応じて変更する。
【００７４】
まず、Ｓ１０４にて操作を受け付ける操作部をタッチパネル４３の入力部４４と決定した場合の、表示形態の変更について説明する。
【００７５】
図５は、入力部４４で操作を受け付ける場合に、図２に示したような待機画面で「Ｃｏｐｙ」が選択された際の、表示部４１の表示の一例である。入力部４４で操作を受け付ける場合は、表示するアイコン，表示サイズを変更する。このために、表示する内容やアイコンの配置も適宜変更する。
【００７６】
入力部４４で操作を受け付ける場合は、ユーザはタッチパネル４３により操作を行うため、ＣＰＵ３１は、表示するアイコンとその表示サイズを変更し、ボタン群４２のキーうち、例えばテンキーやＯＫキーに該当するアイコン４８を表示部４１に表示させる。これにより、ボタン群４２で行う操作をタッチパネル４３の入力部４４で行うことが可能になる。
【００７７】
なお、図５では、ボタン群４２のキーに該当するアイコン４８として、テンキーとＯＫキーを表示する例について示したが、アイコン４８の例はこれに限らず、例えばスタートボタンやキャンセルキーでもよい。
【００７８】
別の表示形態について説明する。図６，図７は、図２で示したような待機画面で「Ｃｏｐｙ」が選択された際の、表示部４１の表示の一例である。ここでは、表示するアイコンの一部を非表示とし、操作に応じて別画面に表示する変更について説明する。
【００７９】
まず、図６では、図５で表示していたような、ボタン群４２のキーに該当するアイコン４８は非表示とする。このとき、例えば拡大率のアイコンがタッチされると、図７に一例として示したような、次の操作画面に遷移し、ボタン群４２のキーに相当するアイコン４８が表示される。
【００８０】
これにより、操作に応じて必要な内容が適宜表示される。また、ボタン群４２のキーに該当するアイコン４８を、図７のように、図６の操作画面とは別の操作画面で表示するため、前述した図５のように同じ操作画面上で表示する場合に比べて、アイコン等の表示内容のサイズを大きくできるという効果が得られる。
【００８１】
なお、図５で示した表示形態と、図６，７で示した表示形態は、ＭＦＰで変更できる表示形態が予めいずれか一方に設定されていてもよいし、両方の表示形態に変更可能であってもよい。ＭＦＰで両方の表示形態に変更が可能である場合は、例えばユーザインターフェース部４０の操作を介して、ユーザごとや実行機能ごとに変更する表示形態の設定を可能としてもよい。
【００８２】
また、ユーザが実行する機能によって、表示形態を切り換えてもよい。例えば、コピー機能が選択された場合は、図５のようにアイコン４８を同じ操作画面上に表示し、ファックス機能が選択された場合は、図６，７のようにアイコン４８を別の操作画面上に表示する形態に変更する。
【００８３】
これにより、実行する機能に応じて、よりユーザが操作を行いやすいように表示形態を変更することができるようになる。
【００８４】
次に、Ｓ１０４にて操作を受け付ける操作部をボタン群４２と決定した場合の、表示形態の変更について説明する。
【００８５】
図８は、ボタン群４２で操作を受け付ける場合の、待機画面における表示部４１の表示の一例である。ここでは、表示部４１で表示している操作画面と、ボタン群４２との対応関係を表示するように変更する。図８に示したように、例えば、表示部４１に表示するアイコンの配置を、ボタン群４２のテンキーの配置に合わせて表示する。
【００８６】
さらに、テンキーのうちどのキーを押下すれば、その機能を実行できるのか、対応する番号をそれぞれのアイコンに表示する。なお、ここではボタン群４２のうちテンキーの配置や番号に合わせた表示を行う例について説明したが、配置を合わせる対象はテンキーに限らなくてもよい。
【００８７】
図９は、図２や図８の待機画面にて「Ｆａｘ」を選択し、その後いくつかの操作を行った際の表示部４１の表示の一例である。ここでは、ボタン群４２を介して行った操作の履歴を、表示部４１に表示するように変更する。
【００８８】
図９の右上部に示したように、ボタン群４２のテンキー「１」で「Ｆａｘ」を選択し、テンキー「１」で「送信」を選択し、テンキー「２」で「新規」を選択して「０５２−１２３−４５６・・」と入力を行っている履歴が表示される。
【００８９】
つまり、ボタン群４２で操作を受け付けているときは、ボタン群４２のどのキーを押下して、現在どの項目を入力しているのかといった、ボタン群４２で行った操作の履歴を表示部４１に表示する。
【００９０】
これら表示形態の変更により、表示部４１と操作部であるボタン群４２が離れている場合であっても、ユーザが感覚的に操作を行いやすく、また、ボタン群４２で行っている操作の履歴を表示部４１に表示するため、操作を誤ってもすぐに気付くことができ、利便性が向上する。
【００９１】
また、タッチパネル４３の入力部４４で操作を受け付ける際に比べて、ユーザにとってより見やすい表示を行うことができる。例えば、図５に示したように、ボタン群４２に該当するアイコン４８を表示する場合に比べて、アイコン４８を表示する必要がないため、表示する内容やアイコンのサイズを大きくすることができる。
【００９２】
また、図６，図７に示したように、ボタン群４２のキーに該当するアイコン４８を操作に応じて別の操作画面に表示する場合に比べて、画面遷移の回数を減らすことができる。
【００９３】
なお、表示部４１で表示している操作画面とボタン群４２との対応関係を表示することと、ボタン群４２で行っている操作の履歴を表示すること、は両方行うことは必須ではなく、どちらか一方の表示形態の変更のみ行ってもよい。
【００９４】
以上のように、Ｓ１０５にて表示形態を変更した後は、操作受付処理を終了する。
【００９５】
以上記載したように、上記実施形態によれば、ユーザはタッチパネル４３の入力部４４とボタン群４２の両方の操作部によって、操作が可能であり、また、それら操作部を使い分けることができる。操作部の使い分けは、ユーザの指示によって切り換えることも可能であるし、過去の使用履歴や省電力モードなど、ＭＦＰ１００の使用状況に応じて切り換えることも可能であるため、利便性が向上する。
【００９６】
さらに、操作を受け付ける操作部に応じて表示形態が変更されるため、より見やすい表示を行うことができ、操作部を切り換えることによってユーザに不便さを感じさせずに操作を行ってもらうことができる。
【００９７】
また、操作部を切り換えた場合には、いずれか一方の操作部にて操作を行うことが可能になるため、複数の操作部においてどの操作部を操作すればいいのか、ユーザが迷わなくてよくなり、利便性が向上する。
【００９８】
なお、上記実施形態においては、Ｓ１０１でユーザの指示とは、入力部４４やボタン群４２の操作によって、指示された場合とした。しかし、ユーザの指示はこの例だけに限らない。ユーザによって実行が指示された機能が、特定の機能であった場合も、操作を受け付ける操作部がユーザから指示されたと判断してもよい。
【００９９】
例えば、コピー機能の実行は、用紙サイズ，画質，カラー，レイアウトなど、様々な設定項目があるため、操作が複雑になったり、操作画面の遷移が多くなったりする可能性がある。また、ファックスのように、数字を入力する可能性が高い機能は、テンキーを利用することを好むユーザも多い。
【０１００】
これらのように、設定項目が多かったり画面遷移が多くなったりするような特定の機能において、操作を受け付ける操作部を予め定めておき、その機能の実行指示がユーザから指示された際には、ＣＰＵ３１は操作を受け付ける操作部をユーザから指示されたと判断して操作部を決定するようにしてもよい。
【０１０１】
この場合、既述したようにＳ１０４では、特に入力部４４で操作を受け付ける場合は、ユーザが実行する機能によって表示形態を変更することができる。そのため、ユーザが操作を行いやすい操作部で操作を受け付けることができ、さらに見やすい表示を行うことができるようになる。
【０１０２】
なお、操作部を決定するような特定の機能は、ＲＯＭ３３やＮＶＲＡＭ３４に記憶され予め定められていてもよいし、例えば、ユーザインターフェース部４０を介してユーザが設定可能としてもよい。これにより、ユーザが操作を行うたびに操作を受け付ける操作部を指示しなくても、実行する機能に合わせた操作部を用いることができるようになり、利便性が向上する。
【０１０３】
また、上記実施形態では、ＭＦＰ１００に対する電力の供給が開始され、制御ユニット３０に対して電力の供給が行われた際には、入力部４４とボタン群４２はともに操作を受け付けることができるものとした。しかし、操作を受け付ける操作部を予め定めておき、ＭＦＰ１００及び制御ユニット３０に対する電力の供給が行われた際に、いずれか一方の操作部で操作を受け付けるようにしてもよい。このとき、いずれか一方の操作部に対する電力の供給を遮断すると、より省電力が実現できる。
【０１０４】
また、上記実施形態では、Ｓ１０１にて、ユーザに操作を受け付ける操作部を指示されたか否か判断し、Ｓ１０２にて操作部の使用履歴が規定の条件を満たすか否か判断し、Ｓ１０３にて省電力モードを実行するか否か判断した。しかし、Ｓ１０１とＳ１０２，Ｓ１０３の順番は入れ替わってもよい。なお、Ｓ１０２，Ｓ１０３は両方行うことは必須ではなく、順番が入れ替わってもよいことは既に説明した。
【０１０５】
ここでさらに、Ｓ１０１とＳ１０２またはＳ１０３を両方行うことは必須ではなく、どちらかのステップだけ実行してもよい。Ｓ１０２を実行しない場合は、ユーザに指示されていないときは（Ｓ１０１：Ｎｏ）、操作受付処理を終了する。ただし、Ｓ１０３を実行する場合にはＳ１０３に移行する。Ｓ１０１を実行しない場合は、Ｓ１００の後にＳ１０２に移行する。ただし、Ｓ１０２を実行しない場合はＳ１０３に移行する。
【０１０６】
また、上記実施形態では、Ｓ１０１でユーザに操作を受け付ける操作部を指示されたか否か判断し、Ｓ１０２で使用履歴が規定の条件を満たすか否か判断して、Ｓ１０４にて操作を受け付ける操作部を決定した。これにより、入力部４４とボタン群４２の両方の操作部で操作を受け付けられる状態から、いずれかの操作部で操作を受け付けるように切り換えることを実現している。
【０１０７】
しかし、Ｓ１０１で、例えばボタン群４２のキャンセルキーが押下されたり、タッチパネル４２の操作を介して、操作を受け付ける操作部の決定をキャンセルされたりした場合は、Ｓ１０４にてタッチパネル４２とボタン群４３の両方で操作を受け付けられるようにしてもよい。
【０１０８】
なお、操作部の決定のキャンセル指示はユーザの指示だけに限らず、例えば、操作を受け付ける操作部を切り換えてから一定時間経過したことを、キャンセルの指示として判断してもよい。
【０１０９】
これにより、入力部４４とボタン群４２の両方で操作を受け付けることが可能であり、ユーザの指示があった場合，操作部の使用履歴が規定条件を満たした場合，省電力モードを実行する場合に、操作を受け付ける操作部を決定して切り換えることができる。そして、操作部を切り換える必要のないときは、再びどちらの操作部でも操作を受け付けることができるようになるため、よりユーザの意図に合わせた使い方ができることになり、利便性が向上する。
【０１１０】
［第２の実施形態］    
以下では第２の実施形態について、図１０から図１５を参照しつつ詳細に説明する。
【０１１１】
第２の実施形態は、第１の実施形態と同様のＭＦＰ１００に、本発明を適用したものである。
【０１１２】
ここで、第２の実施形態のＭＦＰ１００の機能と構成のうち、ユーザインターフェース部６００とその制御以外は第１の実施形態と同様である。そこで、ユーザインターフェース部６００とその制御以外は説明を省略する。
【０１１３】
（ユーザインターフェース部６００の構成）
図１１は、第２の実施形態のＭＦＰ１００が備えるユーザインターフェース部６００の図である。
【０１１４】
ユーザインターフェース部６００は、図１１に示すように、“ＦＡＸ”，“ＳＣＡＮ”，“ＣＯＰＹ”等のアイコン６２０を表示可能であり、かつユーザがタッチした位置を検出可能なタッチパネル６１０と、１〜９の数字ボタンと＊と＃の記号ボタンを備えるテンキー６３０と、タッチパネル６１０がタッチを受け付ける“ＯＮ”モードとタッチパネル６１０がタッチを受け付けない“ＯＦＦ”モードを切り換える切り換えスイッチ６４０を備える構成である。
【０１１５】
切り換えスイッチ６４０はスライダを移動させることでＯＮ／ＯＦＦを切り換える、機械式のスライドスイッチが好ましい。
【０１１６】
ＭＦＰ１００は、このユーザインターフェース部６００に入力されたユーザの指示に基づいて所定の動作を行う。
【０１１７】
（制御）
以下ではユーザインターフェース部６００にユーザが指示を入力した場合のＭＦＰ１００の動作について、図１０から図１５を用いて説明する。
【０１１８】
本実施形態において、ＭＦＰ１００の制御ユニット３０は、ユーザからの処理を受け付け可能になったときに、図１０の操作受付処理を実行する。
【０１１９】
まず、タッチパネル６１０に、ＭＦＰ１００が実行可能な動作を表すアイコン６２０を表示する（Ｓ２００）。本実施形態では、図１１に示すように、“ＦＡＸ”，“ＳＣＡＮ”，“ＣＯＰＹ”，“ＳＴＡＲＴ”，“ＣＡＮＣＥＬ”の５つのアイコンを表示する。
【０１２０】
ユーザはタッチパネル６１０に表示されているアイコンを見ることで、ＭＦＰ１００がユーザインターフェース部６００を介してユーザからの指示を受け付け可能であることと、ＭＦＰ１００が受け付け可能な指示の種類を知ることができる。
【０１２１】
次に制御ユニット３０は、切り換えスイッチ６４０のスライダ６５０がＯＮ側にあるかＯＦＦ側にあるかを調べる（Ｓ２１０）。
【０１２２】
（“ＯＮ”モード）
まず、切り換えスイッチ６４０のスライダ６５０がＯＮ側にあるとき（Ｓ２１０：Ｙｅｓ）のモードである「“ＯＮ”モード」の処理について説明する。なお、既述したように“ＯＮ”モードとはタッチパネル６１０がタッチを受け付けるモード、すなわち、タッチパネルとボタンの両方からの入力を受け付けるモードである。
【０１２３】
切り換えスイッチ６４０のスライダ６５０がＯＮ側にあるとき（Ｓ２１０：Ｙｅｓ）、制御ユニット３０はタッチパネル６１０がタッチを受け付ける「“ＯＮ”モード」であると判断して、後述する図１４のサブルーチン「“ＯＮ”モード処理」を呼び出す（Ｓ２５０）。その後、サブルーチン「“ＯＮ”モード処理」を介して受け付けたコマンド・数字・記号に対応する処理を実行する（Ｓ２６０）。
【０１２４】
図１４はサブルーチン「“ＯＮ”モード処理」を示す図である。なおこの処理は、タッチパネルとボタンの両方からの入力を受け付ける際の処理である。
【０１２５】
図１４に示すように、サブルーチン「“ＯＮ”モード処理」では、まずタッチパネル６１０がタッチを検出するかどうかを調べる（Ｓ３００）。
【０１２６】
タッチパネル６１０がタッチを検出する場合は（Ｓ３００：Ｙｅｓ）、タッチを検出した位置に表示されているアイコンが示すコマンドを、ユーザインターフェース部６００が受け付けたと判断する。例えば、ユーザが“ＣＯＰＹ”のアイコンが表示されている位置をタッチした場合は、ユーザインターフェース部６００がＭＦＰ１００のコピー機能を実行するコマンドを受け付けたと判断する。
【０１２７】
そして、そのコマンドを呼び出し元のルーチンである図１０の「操作受付処理」ルーチンへ返し、「操作受付処理」ルーチンに戻る。
【０１２８】
タッチパネル６１０がタッチを検出しない場合は（Ｓ３００：Ｎｏ）、テンキー６３０がボタン押下を検出するかどうか調べる（Ｓ３２０）。
【０１２９】
ボタン押下を検出する場合は（Ｓ３２０：Ｙｅｓ）、押下を検出したボタンの数字または記号を、ユーザインターフェース部６００が受け付けたと判断する（Ｓ３３０）。例えば、ユーザが“１”のボタンを押した場合は、ユーザインターフェース部６００が数字の１を受け付けたと判断する。
【０１３０】
そして、その数字または記号を呼び出し元のルーチンである図１０の「操作受付処理」ルーチンへ返し、「操作受付処理」ルーチンに戻る。
【０１３１】
ボタンの押下を検出しない場合は（Ｓ３２０：Ｎｏ）、Ｓ３００に戻って、タッチまたはボタンの押下を検出するまでＳ３００とＳ３２０の処理を繰り返して待つ。
【０１３２】
（“ＯＦＦ”モード）
続いて、切り換えスイッチ６４０のスライダ６５０がＯＦＦ側にあるとき（Ｓ２１０：Ｎｏ）のモードである「“ＯＦＦ”モード」の処理について説明する。なお、既述したように“ＯＦＦ”モードとはタッチパネル６１０がタッチを受け付けないモード、すなわち、ボタンからの入力のみを受け付けるモードである。
【０１３３】
切り換えスイッチ６４０のスライダ６５０がＯＦＦ側にあるとき（Ｓ２１０：Ｎｏ）、制御ユニット３０はタッチパネル６１０がタッチを受け付けない「“ＯＦＦ”モード」であると判断して、アイコン６２０に被せてそのアイコンに対応するテンキーの数字を表示する（Ｓ２２０）。
【０１３４】
図１２は本実施形態の機能選択画面を示す図である。機能選択画面ではでは、図１２に示すように、“ＦＡＸ”に“１”，“ＳＣＡＮ”に“２”，“ＣＯＰＹ”に“３”をそれぞれ被せて表示する。
【０１３５】
図１３は図１２の機能選択画面でユーザが“３”を入力した場合に表示されるコピー操作画面である。コピー操作画面では、図１３に示すように、“ＳＴＡＲＴ”に“１”，“ＣＡＮＣＥＬ”に“２”をそれぞれ被せて表示する。
【０１３６】
次に、タッチパネル６１０に、「数字を入力するときは“＃”を押してください」という内容の案内文を追加で表示する（Ｓ２３０）。
【０１３７】
Ｓ２２０，Ｓ２３０のように表示を追加することにより、ユーザは「“ＯＦＦ”モード」においてタッチパネルに表示されているアイコンを選択するにはテンキー６３０のどのボタンを押せばよいかを知ることができ、かつ、後述するように、テンキー６３０から数字や記号を入力したい場合には“＃”を押せばよいことも知ることができる。
【０１３８】
次に、後述する図１５のサブルーチン「“ＯＦＦ”モード処理」を呼び出す（Ｓ２５０）。その後、サブルーチン「“ＯＦＦ”モード処理」を介して受け付けたコマンド・数字・記号に対応する処理を実行する（Ｓ２４０）。
【０１３９】
図１５はサブルーチン「“ＯＦＦ”モード処理」を示す図である。なおこの処理は、タッチパネルからの入力を受け付けず、ボタンからの入力のみを受け付ける際の処理である。
【０１４０】
図１５に示すように、サブルーチン「“ＯＦＦ”モード処理」では、まずテンキー６３０がボタン押下を検出するかどうかを調べる（Ｓ４００）。
【０１４１】
ボタンの押下を検出しない場合は（Ｓ４００：Ｎｏ）、Ｓ４００に戻って、ボタンの押下を検出するまでＳ４００の処理を繰り返して待つ。
【０１４２】
ボタンの押下を検出する場合は（Ｓ４００：Ｙｅｓ）、押下を検出したボタンの数字または記号を、ユーザインターフェース部６００が受け付けたと判断する。例えば、ユーザが“１”のボタンを押した場合は、ユーザインターフェース部６００が数字の１を受け付けたと判断する。
【０１４３】
次に、押下を検出したボタンが“＃”かどうかを判断する（Ｓ４１０）。
【０１４４】
押下を検出したボタンが“＃”ではない場合（Ｓ４１０：Ｎｏ）は、押下を検出したボタンと同じ数字・記号がついているアイコンが示すコマンドを受け付けたと判断する（Ｓ６４０）。例えば、ユーザが“３”のボタンを押下した場合は、制御部３０はユーザが、表示に“３”が被せられている“ＣＯＰＹ”のアイコンを選択したと判断し、ユーザインターフェース部６００がＭＦＰ１００のコピー機能を実行するコマンドを受け付けたと判断する。
【０１４５】
そして、そのコマンドを呼び出し元のルーチンである図１０の「操作受付処理」ルーチンへ返し、「操作受付処理」ルーチンに戻る。
【０１４６】
押下を検出したボタンが“＃”である場合（Ｓ４１０：Ｙｅｓ）は、再び、テンキー６３０がボタンの押下を検出するかどうか調べる（Ｓ４２０）。
【０１４７】
ボタンの押下を検出しない場合は（Ｓ４２０：Ｎｏ）、Ｓ４２０に戻って、ボタンの押下を検出するまでＳ４２０の処理を繰り返して待つ。
【０１４８】
ボタン押下を検出する場合は（Ｓ４２０：Ｙｅｓ）、押下を検出したボタンの数字または記号を、ユーザインターフェース部６００が受け付けたと判断する（Ｓ４３０）。例えば、ユーザが“１”のボタンを押した場合は、ユーザインターフェース部６００が数字の１を受け付けたと判断する。
【０１４９】
そして、その数字または記号を呼び出し元のルーチンである図１０の「操作受付処理」ルーチンへ返し、「操作受付処理」ルーチンに戻る。
【０１５０】
以上記載したように、第２の実施形態によれば、アイコンの選択と数字の入力とを＃キーで切り換えるようにしたので、「“ＯＦＦ”モード」での数字入力が容易である。
【０１５１】
たとえば、図１３に示すコピー操作画面では、ユーザはコピーを始めたいとき“ＳＴＡＲＴ”を、コピーを中止するとき“ＣＡＮＣＥＬ”を、コピー枚数(数字)を指定したいときは枚数(数値)を、入力する必要がある。
【０１５２】
このとき、サブルーチン「“ＯＦＦ”モード処理」のように、数字“１”が入力された場合には“ＳＴＡＲＴ”が選択されたと判断し、“＃”に続いて“１”と入力された場合は枚数(数値)「１」が入力されたと判断すれば、テンキー６３０だけを用いてアイコン６２０の選択と数値を簡単に切り替えて実行できる。
【０１５３】
切り換えスイッチ６４０を、タッチパネルではなく、機械式のスライドスイッチとしたので、例えば「書類を１枚ずつめくりながらコピーするとき」など、指先に滑り止め(指サック)をつけたままで複合機を操作したいときに、滑り止めをつけたままでも容易に切り換えスイッチ６４０を操作して「“ＯＮ”モード」から「“ＯＦＦ”モード」に容易に切り換えることができる。そして、「“ＯＦＦ”モード」に切り換えれば、滑り止めをつけたままでも容易に複合機を操作できるので、便利である。
【０１５４】
もし切り換えスイッチ６４０をタッチパネルにすると、滑り止めを外さないと切り換える操作をしにくい。
【０１５５】
また、本実施形態は単なる例示にすぎず、本発明を何ら限定するものではない。したがって本発明は当然に、その要旨を逸脱しない範囲内で種々の改良、変形が可能である。
【０１５６】
例えば、ＭＦＰに限らず、操作部にボタン群とタッチパネルの両方を備えるものであれば適用可能である。
【０１５７】
また、上記実施形態では、１つのＣＰＵ３１が操作受付処理を全て実行したが本発明はこれに限られず、複数のＣＰＵや、専用回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などで実行してもよい。例えば、操作部の決定、規定条件の判断，電力供給遮断の指示，表示形態の変更などを別々のＣＰＵに実行させてもよい。
【符号の説明】
【０１５８】
１０    画像形成部
２０    画像読取部
３１    ＣＰＵ
３４    ＮＶＲＡＭ
４０，６００    ユーザインターフェース部
４１    表示部
４２    ボタン群
４３，６１０    タッチパネル
４４    入力部
５０    電力供給ユニット
１００  ＭＦＰ
【図１】
2013240983.tif 000003
【図２】
2013240983.tif 000004
【図３】
2013240983.tif 000005
【図４】
2013240983.tif 000006
【図５】
2013240983.tif 000007
【図６】
2013240983.tif 000008
【図７】
2013240983.tif 000009
【図８】
2013240983.tif 000010
【図９】
2013240983.tif 000011
【図１０】
2013240983.tif 000012
【図１４】
2013240983.tif 000013
【図１５】
2013240983.tif 000014
【図１１】
2013240983.tif 000015
【図１２】
2013240983.tif 000016
【図１３】
2013240983.tif 000017